(57)【要約】【課題】  小型でしかも簡単な機構で合成写真を作成可能な精密写真用カメラシフト装置及びそれを用いた合成写真の作成方法を提供する。【解決手段】  カメラ本体１１のレンズ取付部１７に装着可能なカメラ側マウント２０を基側に備える第１の胴筒部２１と、カメラ本体１１の撮像部１２よりも広いイメージサークル１３のレンズ１４を取付け可能なレンズ側マウント２５を先側に備え、第１の胴筒部２１よりその直径が大きい第２の胴筒部２６と、第２の胴筒部２６の基側又は中間部に回転可能に設けられ、第１の胴筒部２１の先側又は中間部が偏心状態で取付けられた遮光回転体３０とを有し、しかも、第１の胴筒部２１は遮光回転体３０に対して回転可能となっている。【選択図】        図１
2006072265.tif 000002
【特許請求の範囲】
【請求項１】
カメラ本体のレンズ取付部に装着可能なカメラ側マウントを基側に備える第１の胴筒部と、
前記カメラ本体の撮像部よりも広いイメージサークルのレンズを取付け可能なレンズ側マウントを先側に備え、前記第１の胴筒部よりその直径が大きい第２の胴筒部と、
前記第２の胴筒部の基側又は中間部に回転可能に設けられ、前記第１の胴筒部の先側又は中間部が偏心状態で取付けられた遮光回転体とを有し、
しかも、前記第１の胴筒部は前記遮光回転体に対して回転可能となって、
前記第２の胴筒部を固定して前記第１の胴筒部を回転させ視野の異なる写真を撮影する、又は、前記第１の胴筒部に取付けられるカメラ本体を固定して前記遮光回転体を回転させ視点の異なる写真を撮影することを特徴とする精密写真用カメラシフト装置。
【請求項２】
請求項１記載の精密写真用カメラシフト装置において、前記遮光回転体は、前記第２の胴筒部に回転可能に設けられる遮光部材と、該遮光部材に偏心状態で取付けられ、基部には前記第１の胴筒部の先側が取付けられる短筒部材とを有していることを特徴とする精密写真用カメラシフト装置。
【請求項３】
請求項２記載の精密写真用カメラシフト装置において、前記短筒部材と前記遮光部材は一体形成され、前記短筒部材の外側には、前記第１の胴筒部を所定位置で固定する第１のロックねじが設けられ、前記第２の胴筒部の外側には前記遮光部材を所定位置で固定する第２のロックねじが設けられていることを特徴とする精密写真用カメラシフト装置。
【請求項４】
請求項３記載の精密写真用カメラシフト装置において、前記第１の胴筒部及び前記短筒部材には、前記第１のロックねじで固定する位置を示す第１の指標が設けられ、前記第２の胴筒部及び前記遮光部材には、前記第２のロックねじで固定する位置を示す第２の指標が設けられていることを特徴とする精密写真用カメラシフト装置。
【請求項５】
請求項４記載の精密写真用カメラシフト装置において、前記第１及び第２の指標は、前記カメラ側マウントに取付けられたカメラ本体の撮像部が上下方向及び左右方向を保たれるようにそれぞれ２又は４箇所に設けられていることを特徴とする精密写真用カメラシフト装置。
【請求項６】
請求項１〜５のいずれか１項に記載の精密写真用カメラシフト装置において、前記第２の胴筒部には三脚座が設けられていることを特徴とする精密写真用カメラシフト装置。
【請求項７】
カメラ本体のレンズ取付部に装着可能なカメラ側マウントを基側に備える第１の胴筒部と、
前記カメラ本体の撮像部よりも広いイメージサークルのレンズを取付け可能なレンズ側マウントを先側に備え、前記第１の胴筒部よりその直径が大きい第２の胴筒部と、
前記第２の胴筒部の基側又は中間部に固定され、前記第１の胴筒部の先側又は中間部が偏心状態で取付けられた遮光回転体とを有し、
しかも、前記遮光回転体は前記第１の胴筒部に対して回転可能となって、
前記第１の胴筒部に取付けられるカメラ本体を固定して前記遮光回転体を回転させ、視点の異なる写真を撮影することを特徴とする精密写真用カメラシフト装置。
【請求項８】
請求項７記載の精密写真用カメラシフト装置において、前記遮光回転体は、前記第２の胴筒部に固定される遮光部材と、該遮光部材に偏心状態で取付けられ、基部には前記第１の胴筒部の先側が取付けられる短筒部材とを有し、該短筒部材と該遮光部材は一体形成され、前記短筒部材の外側には、前記第１の胴筒部を所定位置で固定する第１のロックねじが設けられていることを特徴とする精密写真用カメラシフト装置。
【請求項９】
請求項８記載の精密写真用カメラシフト装置において、前記第１の胴筒部及び前記短筒部材には、前記第１のロックねじで固定する位置を示す第１の指標が設けられていることを特徴とする精密写真用カメラシフト装置。
【請求項１０】
請求項９記載の精密写真用カメラシフト装置において、前記第１の指標は２又は４箇所に設けられていることを特徴とする精密写真用カメラシフト装置。
【請求項１１】
カメラ本体のレンズ取付部に装着可能なカメラ側マウントを基側に備える第１の胴筒部と、前記カメラ本体の撮像部よりも広いイメージサークルのレンズを取付け可能なレンズ側マウントを先側に備え、前記第１の胴筒部よりその直径が大きい第２の胴筒部と、前記第２の胴筒部の基側又は中間部に回転可能に設けられ、前記第１の胴筒部の先側又は中間部が偏心状態でかつ回転可能に取付けられた遮光回転体とを有する精密写真用カメラシフト装置を用い、
前記遮光回転体を、前記第２の胴筒部の基準角度位置に設置して写真を撮影する第１工程と、
前記遮光回転体を前記第２の胴筒部の基準角度位置から所定角度回転させると共に、前記第１の胴筒部を、前記遮光回転体の回転方向とは逆方向に前記所定角度回転して、前記カメラ本体を元位置に戻して写真を撮影する第２工程とを有し、
前記第２工程を、予め決められた前記所定角度に対応させて１又は複数回実施し、視点又は視野角度位置の異なる複数の写真を得て、該複数の写真を合成して一枚の写真を形成することを特徴とする精密写真用カメラシフト装置を使用した合成写真の作成方法。
【請求項１２】
カメラ本体のレンズ取付部に装着可能なカメラ側マウントを基側に備える第１の胴筒部と、前記カメラ本体の撮像部よりも広いイメージサークルのレンズを取付け可能なレンズ側マウントを先側に備え、前記第１の胴筒部よりその直径が大きい第２の胴筒部と、前記第２の胴筒部の基側又は中間部に設けられ、前記第１の胴筒部の先側又は中間部が偏心状態でかつ回転可能に取付けられた遮光回転体とを有する精密写真用カメラシフト装置を用い、
前記遮光回転体を、前記第１の胴筒部の基準角度位置に設置して写真を撮影する第１工程と、
前記遮光回転体を前記第１の胴筒部の基準角度位置から所定角度回転させて写真を撮影する第２工程とを有し、
前記第２工程を、予め決められた前記所定角度に対応させて１又は複数回実施し、視点の異なる複数の写真を得て、該複数の写真を合成して一枚の写真を形成することを特徴とする精密写真用カメラシフト装置を使用した合成写真の作成方法。
【請求項１３】
請求項１１及び１２のいずれか１項に記載の精密写真用カメラシフト装置を使用した合成写真の作成方法において、前記写真は４枚あって、３枚目の写真は、前記遮光回転体が前記基準角度位置に対して１８０度位置で、２枚目又は４枚目の写真は、前記遮光回転体が前記基準角度位置及び前記１８０度位置からそれぞれ一定の角度位置で撮影することを特徴とする精密写真用カメラシフト装置を使用した合成写真の作成方法。
【発明の詳細な説明】
【技術分野】
【０００１】
本発明は、カメラ本体をレンズに偏心状態で回転移動させる精密写真用カメラシフト装置及びそれを用いた合成写真の作成方法に関する。
【背景技術】
【０００２】
従来、複数枚の写真（画像）を繋ぎ合わせて１枚の写真に合成して、精細な写真を得ている。合成写真の作成方法としては、図２３（Ａ）〜（Ｃ）に示すように、まず、カメラ本体７０を図示しない三脚等に設置し、被写体（例えば、山）の左側にレンズ７１を向け、レンズ７１のイメージサークル７３内の撮像部７４に被写体の左側を入れて写真を撮り、次に、カメラ本体７０を水平を保ちながら撮影される写真の一部が重なるように所定角度回動、すなわち、レンズ７１の光軸７２をずらして、被写体の右側にレンズ７１を向けて写真を撮り、得られた写真を合成して合成写真７５を得る方法が一部で行われている。撮像部としては、ＣＣＤ（Charge Coupled Device 、固体撮像素子）やＣＭＯＳ（Complementary Metal Oxide Semiconductor 、相補性金属酸化膜半導体）等の撮像素子、又はフィルム等がある。
【０００３】
また、図２４（Ａ）〜（Ｃ）に示すように、蛇腹８０を備えた大判のカメラ本体８１を用いる方法も知られている。まず、レンズ８２を左側にシフトさせて、被写体の左側にレンズ８２を向け、レンズ８２のイメージサークル８３内の撮像部８４に被写体の左側を入れて写真を撮り、次に、撮影される写真の一部が重なるようにレンズ８２を右側にシフトさせて、撮像部８４に被写体の右側を入れて写真を撮る。更に、得られた写真から合成写真８５を作成する。また、カメラ本体８１を使用する場合、レンズ８２を固定し、フィルム又は撮像素子が設置されたフィルムバック８６を水平方向に移動して撮影し、得られた写真から合成写真を得てもよい。
【０００４】
更に、レンズ交換式のカメラ本体においては、レンズの光軸とフィルム又は撮像素子の撮像面の中心とをずらすシフトレンズが開発され、このシフトレンズを使用して、レンズの光軸をずらして撮影した複数枚の写真を合成することもできる。
また、特許文献１には、被写体をデジタルカメラ等の撮像素子をずらして複数枚撮影した後、これらを合成して高解像度の画像を得る個体撮像装置及び解像度変換装置が開示されている。
【０００５】
【特許文献１】特開２００１−３０９２２９号公報
【発明の開示】
【発明が解決しようとする課題】
【０００６】
しかしながら、レンズ７１の光軸７２を所定角度ずらして撮影する方法では、レンズ７１の光軸７２を正確な角度で回転させるための装置をカメラ本体と三脚との間に設置しなければならないという問題があった。また、この場合には、カメラ本体７０に装着するレンズ７１の性能によって、得られる画像に周辺光量不足による周辺減光、コマ収差、湾曲、及び歪曲収差等が生じ、特に、画像の端部での繋ぎ部分において正確に合成することが難しかった。
【０００７】
また、大判のカメラ本体８１を使用した場合には、装置全体が大型化すると共に、レンズ８２と撮像部８４との距離を正確に保つ装置が必要であった。更に、レンズ８２を左右方向（シフト）のみでなく、上下方向（ライズ、フォール）にも移動させる場合には、装置がより大型化するという問題もあった。
また、従来のシフトレンズは焦点距離が決まっており、焦点距離を調整して撮影することができなかった。特許文献１の発明では、光軸をずらすための高精度に製造されたピクセル素子が必要であった。
【０００８】
本発明はかかる事情に鑑みてなされたもので、小型でしかも簡単な機構で合成写真を作成可能な精密写真用カメラシフト装置及びそれを使用した合成写真の作成方法を提供することを目的とする。
【課題を解決するための手段】
【０００９】
前記目的に沿う第１の発明に係る精密写真用カメラシフト装置は、カメラ本体のレンズ取付部に装着可能なカメラ側マウントを基側に備える第１の胴筒部と、
前記カメラ本体の撮像部よりも広いイメージサークルのレンズを取付け可能なレンズ側マウントを先側に備え、前記第１の胴筒部よりその直径が大きい第２の胴筒部と、
前記第２の胴筒部の基側又は中間部に回転可能に設けられ、前記第１の胴筒部の先側又は中間部が偏心状態で取付けられた遮光回転体とを有し、
しかも、前記第１の胴筒部は前記遮光回転体に対して回転可能となって、
前記第２の胴筒部を固定して前記第１の胴筒部を回転させ視野の異なる写真を撮影する、又は、前記第１の胴筒部に取付けられるカメラ本体を固定して前記遮光回転体を回転させ視点の異なる写真を撮影する。
【００１０】
前記目的に沿う第２の発明に係る精密写真用カメラシフト装置は、カメラ本体のレンズ取付部に装着可能なカメラ側マウントを基側に備える第１の胴筒部と、
前記カメラ本体の撮像部よりも広いイメージサークルのレンズを取付け可能なレンズ側マウントを先側に備え、前記第１の胴筒部よりその直径が大きい第２の胴筒部と、
前記第２の胴筒部の基側又は中間部に固定され、前記第１の胴筒部の先側又は中間部が偏心状態で取付けられた遮光回転体とを有し、
しかも、前記遮光回転体は前記第１の胴筒部に対して回転可能となって、
前記第１の胴筒部に取付けられるカメラ本体を固定して前記遮光回転体を回転させ、視点の異なる写真を撮影する。
【００１１】
前記目的に沿う第１の発明に係る精密写真用カメラシフト装置を使用した合成写真の作成方法は、カメラ本体のレンズ取付部に装着可能なカメラ側マウントを基側に備える第１の胴筒部と、前記カメラ本体の撮像部よりも広いイメージサークルのレンズを取付け可能なレンズ側マウントを先側に備え、前記第１の胴筒部よりその直径が大きい第２の胴筒部と、前記第２の胴筒部の基側又は中間部に回転可能に設けられ、前記第１の胴筒部の先側又は中間部が偏心状態でかつ回転可能に取付けられた遮光回転体とを有する精密写真用カメラシフト装置を用い、
前記遮光回転体を、前記第２の胴筒部の基準角度位置に設置して写真を撮影する第１工程と、
前記遮光回転体を前記第２の胴筒部の基準角度位置から所定角度回転させると共に、前記第１の胴筒部を、前記遮光回転体の回転方向とは逆方向に前記所定角度回転して、前記カメラ本体を元位置に戻して写真を撮影する第２工程とを有し、
前記第２工程を、予め決められた前記所定角度に対応させて１又は複数回実施し、視点又は視野角度位置の異なる複数の写真を得て、該複数の写真を合成して一枚の写真を形成する。
【００１２】
前記目的に沿う第２の発明に係る精密写真用カメラシフト装置を使用した合成写真の作成方法は、カメラ本体のレンズ取付部に装着可能なカメラ側マウントを基側に備える第１の胴筒部と、前記カメラ本体の撮像部よりも広いイメージサークルのレンズを取付け可能なレンズ側マウントを先側に備え、前記第１の胴筒部よりその直径が大きい第２の胴筒部と、前記第２の胴筒部の基側又は中間部に設けられ（固定され）、前記第１の胴筒部の先側又は中間部が偏心状態でかつ回転可能に取付けられた遮光回転体とを有する精密写真用カメラシフト装置を用い、
前記遮光回転体を、前記第１の胴筒部の基準角度位置に設置して写真を撮影する第１工程と、
前記遮光回転体を前記第１の胴筒部の基準角度位置から所定角度回転させて写真を撮影する第２工程とを有し、
前記第２工程を、予め決められた前記所定角度に対応させて１又は複数回実施し、視点の異なる複数の写真を得て、該複数の写真を合成して一枚の写真を形成する。
【発明の効果】
【００１３】
第１の発明に係る精密写真用カメラシフト装置及びこれを使用した合成写真の作成方法は、第１、第２の胴筒部を有し、第１の胴筒部をカメラ本体に取付け、第２の胴筒部にイメージサークルの大きいレンズを取付けて、更に、第２の胴筒部に回転可能に設けられた遮光回転体に第１の胴筒部を偏心しかつ回転可能に取付けているので、複数枚の視点又は視野の異なる写真を撮ることができる。従って、同一対象物に対して視点又は視野が異なり、隣接する部分が相互に重なる複数枚の写真が得られるので、これを合成することによって、より精密な（即ち、ドット数の多い）写真を得ることができる。
この第１の発明において、第１のロックねじ及び第２のロックねじを設けた場合には、第１の胴筒部に取付けたカメラをしっかり保持できる。更に、第１のロックねじ及び第２のロックねじの位置を表す第１の指標及び第２の指標を設けた場合には、第１の胴筒部を所定位置に素早く確実に移動できる。
【００１４】
第２の発明に係る精密写真用カメラシフト装置及びこれを使用した合成写真の作成方法においては、第１、第２の胴筒部を有し、第１の胴筒部をカメラ本体に取付け、第２の胴筒部にイメージサークルの大きいレンズを取付けて、更に、第１の胴筒部に回転可能に設けられた遮光回転体を介して第２の胴筒部を偏心しかつ回転可能に取付けているので、複数枚の視点の異なる写真を撮ることができる。従って、第１の発明と同様、複数枚の写真を得ることができ、これによって、より精密な写真を得ることが可能となる。
そして、第２の発明において、第１のロックねじを設けた場合には、第１の胴筒部に取付けたカメラをしっかり保持できる。更に、第１のロックねじの位置を表す第１の指標を設けた場合には、第１の胴筒部を所定位置に素早く確実に移動できる。
【００１５】
更に、第１及び第２の発明に係る精密写真用カメラシフト装置及びこれを使用した合成写真の作成方法においては、この複数枚の写真を合成することによって、より精密な写真を得ることができる。この場合、カメラ本体にレンズは、この精密写真用カメラシフト装置を介して取付けられるが、遮光回転体を回転することによって、カメラの位置を変えるので、外からの光が完全に遮光される。
【発明を実施するための最良の形態】
【００１６】
続いて、添付した図面を参照しつつ、本発明を具体化した実施の形態につき説明し、本発明の理解に供する。
ここで、図１〜図４はそれぞれ本発明の第１の実施の形態に係る精密写真用カメラシフト装置の側面図、正面図、背面図、断面図、図５（Ａ）は同精密写真用カメラシフト装置の第１の胴筒部の切欠部位置の説明図、（Ｂ）は同精密写真用カメラシフト装置の遮光部材の切欠部位置の説明図、図６（Ａ）〜（Ｅ）はそれぞれ同精密写真用カメラシフト装置による写真の合成の説明図、図７は同精密写真用カメラシフト装置による合成写真の説明図、図８〜図１４はそれぞれ同精密写真用カメラシフト装置の使用状態の説明図、図１５〜図１８はそれぞれ本発明の第２の実施の形態に係る精密写真用カメラシフト装置の側面図、正面図、背面図、断面図、図１９〜図２２はそれぞれ同精密写真用カメラシフト装置の使用状態の説明図である。
【００１７】
図１〜図７を参照して、本発明の第１の実施の形態に係る精密写真用カメラシフト装置１０について説明する。
精密写真用カメラシフト装置（以下、単に「カメラシフト装置」ともいう）１０は、基側にカメラ本体１１を、先側にカメラ本体１１の撮像部１２（例えば、ＣＭＯＳ）よりも大きいイメージサークル１３を備えたレンズ１４を、カメラ本体１１の撮像部１２の中心からの垂直軸１５とレンズ１４の光軸１６とを偏心状態にして取付けられ、しかも、レンズ１４の光軸１６を中心として撮像部１２の垂直軸１５を回転可能とし、更にこれに伴う撮像部１２の傾きを戻すことが可能な装置である。
【００１８】
カメラシフト装置１０は、カメラ本体１１のレンズ取付部１７に装着可能なカメラ側マウント２０を基側に備える第１の胴筒部２１を有している。カメラ側マウント２０は、第１の胴筒部２１を構成する小径筒体２２に複数、例えば、４本のねじ２３で固定されており、装着するカメラに合わせて取り替え可能となっている。また、カメラシフト装置１０は、レンズ１４の図示しないカメラ取付部に取付けるレンズ側マウント２５を先側に備え、しかも、第１の胴筒部２１よりその直径が大きい第２の胴筒部２６を有している。レンズ側マウント２５は、第２の胴筒部２６を構成する大径筒体２７に複数、例えば、４本のねじ２８で固定されており、装着するレンズに合わせて取り替え可能となっている。
【００１９】
更に、カメラシフト装置１０は、第２の胴筒部２６の基側に回転可能に設けられ、第１の胴筒部２１の先側が偏心状態で、かつ回転可能に取付けられた遮光回転体３０を有している。遮光回転体３０は、第２の胴筒部２６に回転可能に設けられる遮光部材３１と、遮光部材３１に偏心状態で取付けられ、基部には第１の胴筒部２１の先側が回転可能に取付けられる短筒部材３２とを有している。なお、遮光部材３１と短筒部材３２は、一体形成してもよい。また、短筒部材３２の外側には、第１の胴筒部２１を所定位置で固定する第１のロックねじ３３が設けられ、第２の胴筒部２６の外側には遮光部材３１を所定位置で固定する第２のロックねじ３４が設けられている。第１及び第２のロックねじ３３、３４は、基部が実質的に円錐形となっている。
【００２０】
図５（Ａ）に示すように、第１の胴筒部２１の小径筒体２２の外周には、第１のロックねじ３３の基部が嵌入する逆円錐形の４つの第１〜第４の切欠部３５〜３８が設けられている。また、図５（Ｂ）に示すように、遮光回転体３０の遮光部材３１の外周には、第２のロックねじ３４の基部が嵌入する逆円錐形の４つの第５〜第８の切欠部３９〜４２が設けられている。
【００２１】
例えば、図６（Ａ）〜（Ｅ）に示すように、カメラシフト装置１０を使用して、カメラ本体１１を通常構えた位置である正位置、すなわち上下左右方向を保ちながら、イメージサークル１３内でしかもイメージサークル１３の中心を軸として、撮像部１２をそれぞれ左上、右上、右下、及び左下に移動してそれぞれ写真ａ〜ｄを撮影し、撮影した写真から合成写真ｅを作成する場合、図７に示すように、撮像部１２の中心は、イメージサークル１３の中心を軸として、それぞれ角度α、β、α、及びβで移動する。なお、図６及び図７は、カメラ本体１１のファインダ１１ａにおける画像であり、撮像部１２に投影される画像は実際には上下及び左右が逆となっている。
【００２２】
ここで、１枚目の写真ａ及び３枚目の写真ｃを撮影する場合には、遮光回転体３０を１８０度回転させ（すなわち、α＋β＝１８０度）、２枚目の写真ｂ及び４枚目の写真ｄを撮影する場合には、それぞれ遮光回転体３０を１枚目及び３枚目の写真を撮影した位置から一定の回転角度αで回転させている。なお、カメラ本体を正位置に保ちながら、イメージサークルの中心を軸として、撮像部を上下方向のみ又は左右方向のみにずらして撮影した写真から合成写真を作成してもよい。
【００２３】
したがって、図５（Ａ）、（Ｂ）に示すように、第１の切欠部３５と第２の切欠部３６との角度、第３の切欠部３７と第４の切欠部３８との角度、第５の切欠部３９と第６の切欠部４０との角度、及び第７の切欠部４１と第８の切欠部４２との角度はそれぞれαとなり、第２の切欠部３６と第３の切欠部３７との角度、第４の切欠部３８と第１の切欠部３５との角度、第６の切欠部４０と第７の切欠部４１との角度、及び第８の切欠部４２と第５の切欠部３９との角度はそれぞれβとなる。なお、隣り合う切欠部の角度が同じである場合（α＝β＝９０度）には、合成される撮像部は正方形となる。
【００２４】
ここで、第１の胴筒部２１及び短筒部材３２には、第１のロックねじ３３で固定する第１〜第４の切欠部３５〜３８の位置を示す第１の指標４３が設けられ、遮光回転体３０の回転によって傾いたカメラ本体１１の撮像部１２の傾きを戻す目安となっている。第１の指標４３は、小径筒体２２の基部の前面及び基部の側面に設けられた第１の位置基準４４と、短筒部材３２の基部の前面及び基部の側面に設けられた第１〜第４の位置目盛４５〜４８とからなっている。
【００２５】
第１の位置基準４４は、図６（Ａ）に示すように、撮像部１２がイメージサークル１３内の左上に位置する基準角度位置となるように、小径筒体２２の左側位置に設けられている。また、第１〜第４の位置目盛４５〜４８は、それぞれを第１の位置基準４４と位置合わせすることにより、対応する第１〜第４の切欠部３５〜３８に第１のロックねじ３３が嵌入できるように、小径筒体２２の周囲に間隔をあけて設けられている。
【００２６】
また、第２の胴筒部２６及び遮光部材３１には、第２のロックねじ３４で固定する第５〜第８の切欠部３９〜４２の位置を示す第２の指標４９が設けられ、遮光部材３１の回転位置の目安となっている。第２の指標４９は、第２の胴筒部２６の大径筒体２７の基部の前面及び基部の側面に設けられた第２の位置基準５０と、遮光回転体３０の遮光部材３１の基部の前面及び基部の側面に設けられた第５〜第８の位置目盛５１〜５４とからなる。ここで、第２の位置基準５０は、第２のロックねじ３４が嵌入する位置に設けられている。また、第５〜第８の位置目盛５１〜５４は、第５〜第８の切欠部３９〜４２の位置を示している。
【００２７】
なお、カメラシフト装置１０では、第１及び第２の位置基準４４、５０及び第１〜第８の位置目盛４５〜４８、５１〜５４を研削によって形成したが、それぞれ塗装による印によって形成してもよいし、突出した凸部によって形成してもよい。
【００２８】
第１及び第２の指標４３、４９は、それぞれカメラ側マウント２０に取付けられたカメラ本体１１の撮像部１２が、正位置となるように４箇所で位置決めされるように設けられ、図７に示すようにイメージサークル１３内を移動する際の隣り合う撮像部１２は少なくとも一辺で重なるようになっている。これによって、撮影された複数の写真ａ〜ｄは、隣り合う写真同士の少なくとも一辺が重なるので合成し易くなっている。また、第１及び第２の指標をそれぞれ２箇所となるように、切欠部を１８０度反対側に設けて撮像部を上下方向又は左右方向に移動させて、撮影される写真が縦方向又は横方向に並ぶようにしてもよい。
【００２９】
更に、カメラ側マウント２０とレンズ側マウント２５とは平行位置に配置されている。なお、カメラ側マウント２０とレンズ側マウント２５とを平行位置から傾けてもよく、この場合には、いわゆる大判のカメラでの操作であるチルト及びスイングを行うことができる。また、カメラ側マウント２０に取付けられたカメラ本体１１のレンズ取付部１７の先端、すなわち、カメラ側マウント２０のカメラ本体１１の取付け位置から、レンズ側マウント２５の先端までの距離は、レンズ１４を通常取付けるフランジバックの長いカメラ（図示せず）のフランジバックの長さＬと、カメラ側マウント２０に取付けたカメラ本体１１のフランジバックの長さＭとの差となっている。ここで、フランジバックとは、レンズ取付部の先部から撮像部までの距離をいう。
【００３０】
また、第２の胴筒部２６には、図示しない三脚、又は一脚等に取付け可能なねじ孔５５を有する三脚座５６が、取付ねじ５７、５８によって取付けられている。なお、カメラシフト装置１０は、通常三脚に三脚座５６をねじ孔５５を介して取付け、第２の胴筒部２６を固定し、レンズ１４の光軸１６を固定して視点を一定位置とし、遮光回転体３０の回転によって、小径筒体２２及び第１の胴筒部２１を回転させ、撮像部１２の垂直軸１５、すなわちカメラ本体１１を回転移動させて、視野を変化させながら写真を撮影する。
【００３１】
なお、カメラ本体１１に設けられた図示しない三脚取付孔を介してカメラ本体１１を三脚に取付け、カメラ本体１１を固定して視野を一定に保ち、遮光回転体３０の回転によって、レンズ１４の光軸１６を回転させて視点の異なる写真を撮影してもよい。この場合には、第２の胴筒部２６を第２のロックねじ３４によって遮光部材３１に固定し、レンズ１４を回転させないようにするのが好ましい。
【００３２】
次に、図８〜図１４を参照して、精密写真用カメラシフト装置１０を使用した写真の撮影方法及び撮影した写真からの合成写真の作成方法について説明する。
まず、図１に示すように、第１の胴筒部２１の基側に設けられたカメラ側マウント２０に、レンズ取付部１７を介してカメラ本体１１を装着し、第２の胴筒部２６の先側に設けられたレンズ側マウント２５にレンズ１４を取付け、三脚座５６のねじ孔５５に図示しない三脚を取付ける（図１参照）。
【００３３】
（第１工程）
図８に示すように、第１の位置基準４４と第１の位置目盛４５とを合わせ、第１のロックねじ３３を第１の切欠部３５に嵌入して第１の胴筒部２１を短筒部材３２に固定し、更に、第２の位置基準５０と第５の位置目盛５１とを合わせ、第２のロックねじ３４を第５の切欠部３９に嵌入して、遮光回転体３０を第２の胴筒部２６の基準角度位置に設定して、カメラ本体１１を正位置とし、カメラ本体１１の撮像部１２をイメージサークル１３内の左上に位置させて写真ａを撮影する。
【００３４】
（第２工程）
次に、図９に示すように、第２のロックねじ３４を緩めた後、遮光回転体３０を時計回りに角度α移動して第２の位置基準５０と第６の位置目盛５２を合わせ、第２のロックねじ３４を第６の切欠部４０に嵌入して第２の胴筒部２６に遮光部材３１を固定する。撮像部１２は正位置から時計回りに角度α傾いているので、図１０に示すように、第１のロックねじ３３を緩めた後、第１の胴筒部２１を逆方向、すなわち反時計回りに角度α回転し、第１の位置基準４４と第２の位置目盛４６とを合わせ、第１のロックねじ３３を第２の切欠部３６に嵌入して第１の胴筒部２１を短筒部材３２に固定し、カメラ本体１１を正位置に戻して、イメージサークル１３内右上の写真ｂを撮影する。
【００３５】
また、図１１に示すように、第２のロックねじ３４を緩めた後、遮光回転体３０を時計回りに角度β移動して第２の位置基準５０と第７の位置目盛５３を合わせて第２のロックねじ３４を第７の切欠部４１に嵌入して第２の胴筒部２６に遮光部材３１を固定する。撮像部１２は正位置から時計回りに角度β傾いているので、図１２に示すように、第１のロックねじ３３を緩めた後、第１の胴筒部２１を反時計回りに角度β回転し、第１の位置基準４４と第３の位置目盛４７とを合わせ、第１のロックねじ３３を第３の切欠部３７に嵌入して第１の胴筒部２１を短筒部材３２に固定し、カメラ本体１１を正位置に戻して、イメージサークル１３内右下の写真ｃを撮影する。なお、３枚目の写真ｃは、遮光回転体３０が基準角度位置から１８０度回転した位置となっている。
【００３６】
更に、図１３に示すように、第２のロックねじ３４を緩めた後、遮光回転体３０を時計回りに角度α移動して第２の位置基準５０と第８の位置目盛５４を合わせて第２のロックねじ３４を第８の切欠部４２に嵌入して第２の胴筒部２６に遮光部材３１を固定する。撮像部１２は正位置から時計回りに角度α傾いているので、図１４に示すように、第１のロックねじ３３を緩めた後、第１の胴筒部２１を反時計回りに角度α回転し、第１の位置基準４４を第４の位置目盛４８とを合わせ、第１のロックねじ３３を第４の切欠部３８に嵌入して第１の胴筒部２１を短筒部材３２に固定し、カメラ本体１１を正位置に戻して、イメージサークル１３内左下の写真ｄを撮影する。
【００３７】
次に、視野角度位置の異なる撮影した４枚の写真ａ〜ｄを図示しないパソコンに取り込み、それらの重なり合う部分を重ね合わせて、合成写真ｅを作成する。ここで、遮光回転体３０の回転は、レンズ側マウント２５の中心軸（レンズ１４の光軸１６）に対して４分割となって、撮影した４枚の写真ａ〜ｄから合成された合成写真ｅが実質的に矩形となるように、遮光回転体３０は回転角度が決定されている。なお、遮光回転体３０の回転を２分割とし、更に撮影される２枚の写真が上下方向又は左右方向に重なり合うようにしてもよい。
【００３８】
図１５〜図２２を参照して、本発明の第２の実施の形態に係る精密写真用カメラシフト装置６０について説明する。なお、精密写真用カメラシフト装置１０と同一の構成要素については同一の番号を付してその詳しい説明を省略する。
精密写真用カメラシフト装置（以下、単に「カメラシフト装置」ともいう）６０は、基側にカメラ本体１１を、先側にカメラ本体１１の撮像部１２（例えば、ＣＭＯＳ）よりも大きいイメージサークル１３を備えたレンズ１４を、カメラ本体１１の撮像部１２の中心からの垂直軸１５とレンズ１４の光軸１６とを偏心状態にして取付けられ、しかも、撮像部１２の垂直軸１５を中心としてレンズ１４の光軸１６を回転可能な装置である。
【００３９】
カメラシフト装置６０は、レンズ側マウント２５を備える第２の胴筒部６１が、遮光回転体６２の先部に設けられた遮光部材６３に固定されている点が、カメラシフト装置１０と異なっている。それに伴って、カメラシフト装置６０には、第２のロックねじ、第２の指標、及び第５〜第８の切欠部が設けられていない。また、カメラシフト装置６０はカメラ本体１１を固定してレンズ１４の光軸１６を移動させるので三脚座５６が設けられていない点も、カメラシフト装置１０と異なっている。以下、カメラシフト装置６０について、詳しく説明する。
【００４０】
図１５〜図１８に示すように、カメラシフト装置６０は、カメラ側マウント２０及び小径筒体２２を備える第１の胴筒部２１と、レンズ側マウント２５及び大径筒体６４を備え、しかも、第１の胴筒部２１よりその直径が大きい第２の胴筒部６１と、第２の胴筒部６１の基側に固定され、第１の胴筒部２１の先側が偏心状態で、かつ回転可能に取付けられた遮光回転体６２とを有している。遮光回転体６２は、第２の胴筒部６１に固定される遮光部材６３と、遮光部材６３に偏心状態で取付けられ、基部には第１の胴筒部２１の先側が回転可能に取付けられる短筒部材３２とを有している。
【００４１】
なお、遮光部材６３と短筒部材３２は、一体形成してもよく、更にこれらと大径筒体６４とを一体形成してもよい。また、短筒部材３２の外側には、第１の胴筒部２１を所定位置で固定する第１のロックねじ３３が設けられている。第１のロックねじ３３は、基部が実質的に円錐形となって、第１の胴筒部２１の小径筒体２２の外周に設けられた４つの第１〜第４の切欠部３５〜３８に嵌入され、遮光回転体６２を第１の胴筒部２１に固定可能となっている。
【００４２】
例えば、図６（Ａ）〜（Ｅ）に示すように、カメラシフト装置６０を使用して、カメラ本体１１を三脚等に固定して、遮光回転体６２を回転させ、カメラ本体１１のファインダ１１ａ、すなわち撮像部１２をイメージサークル１３内でしかもイメージサークル１３の中心を軸として、それぞれ左上、右上、右下、及び左下に移動してそれぞれ写真ａ〜ｄを撮影し、撮影した写真から合成写真ｅを作成する場合、図７に示すように、撮像部１２の中心は、イメージサークル１３の中心を軸として、それぞれ角度α、β、α、及びβで移動する。
【００４３】
したがって、図５（Ａ）に示すように、第１の切欠部３５と第２の切欠部３６との角度、及び第３の切欠部３７と第４の切欠部３８との角度はそれぞれαとなり、第２の切欠部３６と第３の切欠部３７との角度、第４の切欠部３８と第１の切欠部３５との角度はそれぞれβとなる。なお、隣り合う切欠部の角度が同じである場合（α＝β＝９０度）には、合成される撮像部は正方形となる。ここで、第１の胴筒部２１及び短筒部材３２には、第１のロックねじ３３で固定する第１〜第４の切欠部３５〜３８の位置を示し、小径筒体２２の基部の前面及び基部の側面に設けられた第１の位置基準４４と、短筒部材３２の基部の前面及び基部の側面に設けられた第１〜第４の位置目盛４５〜４８とからなる第１の指標４３が設けられている。
【００４４】
次に、図１９〜図２２を参照して、精密写真用カメラシフト装置６０を使用した写真の撮影方法及び撮影した写真からの合成写真の作成方法について説明する。
まず、図１５に示すように、第１の胴筒部２１の基側に設けられたカメラ側マウント２０に、レンズ取付部１７を介してカメラ本体１１を装着し、第２の胴筒部６１の先側に設けられたレンズ側マウント２５にレンズ１４を取付け、カメラ本体１１の図示しない三脚取付孔に図示しない三脚を取付ける。
【００４５】
（第１工程）
図１９に示すように、第１の位置基準４４と第１の位置目盛４５とを合わせ、第１のロックねじ３３を第１の切欠部３５に嵌入して第１の胴筒部２１を短筒部材３２に固定し、遮光回転体６２を第１の胴筒部２１の基準角度位置に設定して、カメラ本体１１の撮像部１２を、イメージサークル１３内左上に位置させて写真ａを撮影する。
【００４６】
（第２工程）
次に、図２０に示すように、第１のロックねじ３３を緩めた後、遮光回転体６２を時計回りに角度α回転し、第１の位置基準４４と第２の位置目盛４６とを合わせ、第１のロックねじ３３を第２の切欠部３６に嵌入して第１の胴筒部２１を短筒部材３２に固定して、イメージサークル１３内右上の写真ｂを撮影する。
【００４７】
また、図２１に示すように、第１のロックねじ３３を緩めた後、遮光回転体６２を時計回りに角度β回転し、第１の位置基準４４と第３の位置目盛４７とを合わせ、第１のロックねじ３３を第３の切欠部３７に嵌入して第１の胴筒部２１を短筒部材３２に固定して、イメージサークル１３内右下の写真ｃを撮影する。なお、３枚目の写真ｃは、遮光回転体６２が基準角度位置から１８０度回転した位置となっている。
【００４８】
更に、図２２に示すように、第１のロックねじ３３を緩めた後、遮光回転体６２を時計回りに角度α回転し、第１の位置基準４４を第４の位置目盛４８とを合わせ、第１のロックねじ３３を第４の切欠部３８に嵌入して第１の胴筒部２１を短筒部材３２に固定して、イメージサークル１３内左下の写真ｄを撮影する。
【００４９】
次に、撮影した視点の異なる４枚の写真ａ〜ｄを図示しないパソコンに取り込み、それらの重なり合う部分を重ね合わせて、合成写真ｅを作成する。ここで、遮光回転体６２の回転は、レンズ側マウント２５の中心軸（レンズ１４の光軸１６）に対して４分割となって、撮影した４枚の写真ａ〜ｄから合成された合成写真ｅが実質的に矩形となるように、遮光回転体６２は回転角度が決定されている。なお、遮光回転体６２の回転を２分割とし、更に撮影される２枚の写真が上下方向又は左右方向に重なり合うようにしてもよい。
【００５０】
本発明は、前記した実施の形態に限定されるものではなく、本発明の要旨を変更しない範囲での変更は可能であり、例えば、前記した実施の形態や変形例の一部又は全部を組み合わせて本発明の精密写真用カメラシフト装置及びそれを使用した合成写真の作成方法を構成する場合も本発明の権利範囲に含まれる。
【００５１】
例えば、前記実施の形態の精密写真用カメラシフト装置に取付けるカメラの撮像部は、ＣＭＯＳ以外に、ＣＣＤの撮像素子でもよく、フィルムを使用することもできる。なお、撮像部としてフィルムを使用した場合には、写真の焼き付け時に写真を合成するか、撮影されたフィルムをスキャナでデジタルデータに変換した後、パソコンに取り込み、それらの重なり合う部分を重ね合わせて合成写真を作成してもよい。また、使用するレンズは、撮像部よりも大きいイメージサークルを有すればよく、望遠鏡を使用してもよい。
【００５２】
遮光回転体を遮光部材と短筒部材とで構成したが、遮光部材に偏心して設けられる断面円形の貫通孔を設け、この貫通孔に第１の胴筒部を回転可能に取付けてもよい。また、遮光部材及び短筒部材を一体的に形成し、短筒部材の基部に第１の胴筒部を回転可能に取付けたが、短筒部材と第１の胴筒部を回転不可能とし、遮光部材に対して短筒部材を回転可能に取付けてもよく、また、短筒部材の中間部を回転可能としてもよい。
【００５３】
遮光回転体の基準角度位置を、カメラ本体１１の撮像部１２がイメージサークル１３内の左上となる位置としたが、左下、右上、及び右下のいずれでもよい。また、遮光回転体の先側を、第２の胴筒部の基側に設けたが、第２の胴筒部の中間部に設けてもよい。また、遮光回転体の基側を、第１の胴筒部の先側に設けたが、第１の胴筒部の中間部に設けてもよい。
【図面の簡単な説明】
【００５４】
【図１】本発明の第１の実施の形態に係る精密写真用カメラシフト装置の側面図である。
【図２】同精密写真用カメラシフト装置の正面図である。
【図３】同精密写真用カメラシフト装置の背面図である。
【図４】同精密写真用カメラシフト装置の断面図である。
【図５】（Ａ）は同精密写真用カメラシフト装置の第１の胴筒部の切欠部位置の説明図、（Ｂ）は同精密写真用カメラシフト装置の遮光部材の切欠部位置の説明図である。
【図６】（Ａ）〜（Ｅ）はそれぞれ同精密写真用カメラシフト装置による写真の合成の説明図である。
【図７】同精密写真用カメラシフト装置による合成写真の説明図である。
【図８】同精密写真用カメラシフト装置の使用状態の説明図である。
【図９】同精密写真用カメラシフト装置の使用状態の説明図である。
【図１０】同精密写真用カメラシフト装置の使用状態の説明図である。
【図１１】同精密写真用カメラシフト装置の使用状態の説明図である。
【図１２】同精密写真用カメラシフト装置の使用状態の説明図である。
【図１３】同精密写真用カメラシフト装置の使用状態の説明図である。
【図１４】同精密写真用カメラシフト装置の使用状態の説明図である。
【図１５】本発明の第２の実施の形態に係る精密写真用カメラシフト装置の側面図である。
【図１６】同精密写真用カメラシフト装置の正面図である。
【図１７】同精密写真用カメラシフト装置の背面図である。
【図１８】同精密写真用カメラシフト装置の断面図である。
【図１９】同精密写真用カメラシフト装置の使用状態の説明図である。
【図２０】同精密写真用カメラシフト装置の使用状態の説明図である。
【図２１】同精密写真用カメラシフト装置の使用状態の説明図である。
【図２２】同精密写真用カメラシフト装置の使用状態の説明図である。
【図２３】（Ａ）〜（Ｃ）は従来例に係る合成写真の作成方法の説明図である。
【図２４】（Ａ）〜（Ｃ）は従来例に係る別の合成写真の作成方法の説明図である。
【符号の説明】
【００５５】
１０：精密写真用カメラシフト装置、１１：カメラ本体、１１ａ：ファインダ、１２：撮像部、１３：イメージサークル、１４：レンズ、１５：垂直軸、１６：光軸、１７：レンズ取付部、２０：カメラ側マウント、２１：第１の胴筒部、２２：小径筒体、２３：ねじ、２５：レンズ側マウント、２６：第２の胴筒部、２７：大径筒体、２８：ねじ、３０：遮光回転体、３１：遮光部材、３２：短筒部材、３３：第１のロックねじ、３４：第２のロックねじ、３５：第１の切欠部、３６：第２の切欠部、３７：第３の切欠部、３８：第４の切欠部、３９：第５の切欠部、４０：第６の切欠部、４１：第７の切欠部、４２：第８の切欠部、４３：第１の指標、４４：第１の位置基準、４５：第１の位置目盛、４６：第２の位置目盛、４７：第３の位置目盛、４８：第４の位置目盛、４９：第２の指標、５０：第２の位置基準、５１：第５の位置目盛、５２：第６の位置目盛、５３：第７の位置目盛、５４：第８の位置目盛、５５：ねじ孔、５６：三脚座、５７、５８：取付ねじ、６０：精密写真用カメラシフト装置、６１：第２の胴筒部、６２：遮光回転体、６３：遮光部材、６４：大径筒体
【図１】
2006072265.tif 000003
【図２】
2006072265.tif 000004
【図３】
2006072265.tif 000005
【図４】
2006072265.tif 000006
【図５】
2006072265.tif 000007
【図６】
2006072265.tif 000008
【図７】
2006072265.tif 000009
【図８】
2006072265.tif 000010
【図９】
2006072265.tif 000011
【図１０】
2006072265.tif 000012
【図１１】
2006072265.tif 000013
【図１２】
2006072265.tif 000014
【図１３】
2006072265.tif 000015
【図１４】
2006072265.tif 000016
【図１５】
2006072265.tif 000017
【図１６】
2006072265.tif 000018
【図１７】
2006072265.tif 000019
【図１８】
2006072265.tif 000020
【図１９】
2006072265.tif 000021
【図２０】
2006072265.tif 000022
【図２１】
2006072265.tif 000023
【図２２】
2006072265.tif 000024
【図２３】
2006072265.tif 000025
【図２４】
2006072265.tif 000026